(57)【特許請求の範囲】
【請求項１】
洗面台などの取付け対象に固定される台座部と、この台座部下側に給水管を取り付けるための管取付け部材と、前記台座部に固定される鶴首とを有する水栓蛇口において、
前記台座部は、外周に前記鶴首を固定するための係止構造が設けられ、前記取付け対象に設けられた取付け穴に係止される環状鍔部と、円筒状をなし前記環状鍔部から吊り下げられており、内周にねじ切り加工された円筒状空間に、この円筒状空間よりもやや小径で外周にねじ切り加工された円筒状部材がねじ込まれると外部に押し出される複数の突出部材を持った移動部材とを有するものであり、前記管取付け部材は、前記円筒状部材として機能するねじ切り部分と、このねじ切り部分に連なり前記台座部における前記環状鍔部に収容されるフランジ部と、前記給水管に接続される結合部とを有するものである、
ことを特徴とする水栓蛇口。
【請求項２】
請求項１記載の水栓蛇口において、
前記係止構造は、ねじ込み固定するためのネジ溝である水栓蛇口。
【請求項３】
請求項２記載の水栓蛇口において、
前記台座部のネジ溝は、溝幅が異なる複数の溝により構成されており、前記鶴首が所定の向きでねじ込まれたときのみ係合するように構成された水栓蛇口。
【請求項４】
請求項1記載の水栓蛇口において、
前記台座部の突出部材は、側面形状が扇形であってその要部を支点として揺動可能に支持されており、前記台座部の周囲に等間隔で配置されている水栓蛇口。
【請求項５】
請求項1記載の水栓蛇口において、
前記管取付け部材は、前記フランジ部中心位置にレンチ用穴が設けられている水栓蛇口。
【請求項６】
請求項1記載の水栓蛇口において、
前記管取付け部材は、前記鶴首の挿入部近くに前記鶴首が挿入されることにより開放する止水弁が設けられている水栓蛇口。
【発明の詳細な説明】
【０００１】
【発明の属する技術分野】
本発明は、洗面台等に設けられる水栓蛇口に係り、とくに洗面台などの上方から取付け工事を行うものに関する。
【０００２】
【従来の技術】
水栓蛇口を例えば洗面台に取り付けるには、洗面台に台座を固定して台座下側に給水管を固定し、上側に鶴首を取り付ける。そして、給水管を取り付ける作業は洗面台の裏側で行い、鶴首の取付けは洗面台の上側で行う。
【０００３】
【発明が解決しようとする課題】
ここで、鶴首はワンタッチ取付け方式のものもあり、そのようなものを選ぶことにより取付け作業を簡単に行うことができる。これに対して、台座の取付けはきわめて作業性が悪いのが通例である。
【０００４】
すなわち、台座を例えば洗面台に取り付けるには、台座を洗面台の裏側からネジ固定するようにしている。洗面台は、通常の場合、壁面に取り付けられているから洗面台の裏側は非常に狭い空間であって作業性が悪い。そのため、ネジを固定するのに相当の時間が掛かることが屡々である。その上に、台座への給水管の接続作業を行うので、洗面台の裏側での作業のために多大の時間を要する。
【０００５】
本発明は上述の点を考慮してなされたもので、台座の取付けを洗面台等の上部で行い得る水栓蛇口を提供することを目的とする。
【０００６】
【課題を解決するための手段】
上記目的達成のため、本発明では、
洗面台などの取付け対象に固定される台座部と、この台座部下側に給水管を取り付けるための管取付け部材と、前記台座部に固定される鶴首とを有する水栓蛇口において、
前記台座部は、外周に前記鶴首を固定するための係止構造が設けられ、前記取付け対象に設けられた取付け穴に係止される環状鍔部と、円筒状をなし前記環状鍔部から吊り下げられており、内周にねじ切り加工された円筒状空間に、この円筒状空間よりもやや小径で外周にねじ切り加工された円筒状部材がねじ込まれると外部に押し出される複数の突出部材を持った移動部材とを有するものであり、前記管取付け部材は、前記円筒状部材として機能するねじ切り部分と、このねじ切り部分に連なり前記台座部における前記環状鍔部に収容されるフランジ部と、前記給水管に接続される結合部とを有するものである、
ことを特徴とする水栓蛇口、
を提供するものである。
【０００７】
【発明の実施の形態】
図1は、本発明に係る水栓蛇口の取付け作業の最終段階を示すもので、既に洗面台に取付けられた台座に対して鶴首を装着するときの様子を示している。
【０００８】
すなわち、鶴首１０は、例えば６０度程度矢印で示すように回転させてねじ込み方式で台座に固定する構造となっており、そのために台座２０には外周にネジ溝が切ってある。台座２０は、その下方にある３つの突出部材が、後述するように洗面台上方からの、給水管を接続するための操作が行われると外周方向に張り出していき、洗面台の取付け穴に当接することによって、台座２０が洗面台に固定される。
【０００９】
このとき、図２に示すように、固定ピン（図示せず）を固定ピン穴２５に挿入することで、鶴首１０と台座２０とが簡単に外れなくすることができる。
【００１０】
台座２０には、予め給水管３０が固定されており、台座２０の取付け時に洗面台の台座２０を取り付けるための穴から挿入しておく。そして、台座２０の取付け作業終了後であって鶴首１０の取付け前に、給水管の下端を水道配管に接続する。
【００１１】
図２は、図1と同様に、鶴首１０を台座２０に装着しようとする段階の様子を側面図として示したものである。鶴首１０は、既に洗面台に取り付けられている台座２０に対して、鶴首１０の下部に設けられたフランジ１１の中心位置から図示下方に延び出した挿入口１２が台座２０の中心位置に差し込まれ、さらに鶴首１０の下方内周部に設けたネジ（図示せず）を台座２０の外周に設けられたネジ溝にねじ込むように回動させて固定する。
【００１２】
台座２０には、既に給水管３０が取り付けられているから、この給水管３０の図示しない下端を水道配管に接続しておけば、鶴首10を差し込んだ段階で給水することができる。
【００１３】
図３は、台座２０および給水管３０を洗面台に取り付ける様子を段階的に示したものである。まず図３（a）は、洗面台の取付け穴に台座２０を差し込む段階を示している。台座２０は、図３（a）に示すように、洗面台の上面に配される環状鍔部２１と、この環状鍔部２１から３つの吊り下げ部材２２により吊り下げられたほぼ円筒状の移動部材２３とにより構成され、移動部材２３にはこの移動部材２３により揺動自在に支持された３つの突出部材２４が設けられている。
【００１４】
そして、洗面台の取付け穴に台座２０を取り付けるには、突出部材２４が取付け穴に引っ掛からないように、移動部材２３を取付け穴に挿入し、環状鍔部２１が洗面台の上面に当接するまで下降させる。
【００１５】
次いで、台座２０の環状鍔部２１、さらに移動部材２３の各中心位置に設けられた穴に、給水管が取り付けられた管取付け部材３０を挿入する。給水管は、穴を通すのに適当な径のものを選ぶ。移動部材２３は、穴の内周面にネジが切ってあり、管取付け部材３０の外周に設けられたネジ切り部３１ｂとネジ係合する。
【００１６】
図３（b）は、管取付け部材３０を移動部材２３に対してある程度挿入した段階を示しており、フランジ部３１ａを図示矢印の方向に回転させていくと、管取付け部材３０の外周によって移動部材２３に設けられた突出部材２４が外側に押し出される。さらにフランジ部３１ａを回転させていくと、突出部材２４が外方に押し出されたまま、移動部材２３が図示上方に移動していく。
【００１７】
図３（c）は、移動部材２３が移動し切った段階を示しており、このとき台座２０が洗面台に固定される。すなわち、台座２０は、洗面台の上面に環状鍔部２１が当接し、取付け穴の下面に突出部材２４が当接することにより、洗面台に固定される。この固定作業の最終段階では、台座２０の向きを確認して６角レンチにより締め込む。台座２０の向きは、鶴首の装着が適正に行えるように選ぶ。
【００１８】
図４は、移動部材２３および突出部材２４と管取付け部材３０のネジ切り部３１ｂとの協働関係を、移動部材２３を断面表示することによって示している。突出部材２４は、側面形状が要の部分を上向きにした扇状をしており、移動部材２３の外周近くの個所に扇の要部が支点となって揺動自在に支持されている。
【００１９】
図４(a)に示すように、管取付け部材３０を移動部材２３の穴内に挿入する前は、突出部材２４は移動部材２３の外周から突出させない状態とすることができる。図４(b)は、このときの３つの突出部材２４につき、その状態を移動部材２３の下方から見たものであり、３つの突出部材２４は移動部材２３の穴内で互いに当接することができる。
【００２０】
次いで、管取付け部材３０のネジ切り部３１ｂを移動部材２３内にねじ込んでいくと、突出部材２４は移動部材２３の穴内には入ることができず、外方に押し出されて図４（c）に示すように、外側に張り出した状態となる。
【００２１】
図５(a)ないし(c)は、洗面台への台座２０および管取付け部材３０の取付け作業につき、段階を追って示したものである。まず図５(a)は、洗面台に台座２０の下部を差し込むときの状態を示している。次いで、図５(b)は、フレキシブルチューブが取り付けられた管取付け部材３０を、台座２０の穴に差し込む直前の状態を示している。そして、図５(c)は、管取付け部材３０の取付け最終段階で、レンチＷにより管取付け部材３０の締め込みを行う状態を示している。この際、台座２０に設けられたマークＭを所定の向きにした上で、レンチによる最後の締め込みを行う。マークＭが、鶴首設置時にその向きを示すものだからである。
【００２２】
図６（a）、(ｂ)は、洗面台に台座２０および管取付け部材３０が取り付けられた後で、鶴首１０を装着する段階での、管取付け部材３０の内部に設けられた止水弁の開放する様子を示したものである。
【００２３】
図６（a）では、鶴首１０が台座２０および管取付け部材３０の穴内にある程度差し込まれた段階を示しており、図６(ｂ)では完全に差し込まれた状態を示している。まず図６（a）では、鶴首１０の接続金具における当り面１１と台座２０の上面との間に空間があり、このとき鶴首１０の接続金具の挿入口１２は、管取付け部材３０内に設けられた止水弁の止水弁操作棒３２に接触し始める。そして、図６(ｂ)では、鶴首１０が完全に差し込まれた結果、接続金具の挿入口１２によって止水弁操作棒３２が押し込まれ、弁体３３が下降するから弁体３３の周囲が通水可能となる。これにより、蛇口から放水が行われる。
【００２４】
（変形例）
上記実施例では、鶴首をねじ込む構造として示したが、バヨネット方式などの差し込んで回動する形式であってもよい。
また、鶴首を台座に係止するネジ溝は、溝幅が異なる複数の溝により構成されていて、前記鶴首が所定の向きでねじ込まれたときのみ係合するように構成されてもよい。
【００２５】
【発明の効果】
本発明は上述のように、洗面台の上方から台座および管取付け部材の取付けを行うようにしたため、従来のように、洗面台の下等の作業性が悪い場所での設置作業を防止し、迅速簡単に設置することができる。
【図面の簡単な説明】
【図１】本発明の一実施例の構成概要を示す説明図。
【図２】図1と同様に、鶴首１０を台座２０に装着しようとする段階の様子を側面図として示した説明図。
【図３】図３(ａ),(ｂ)および(ｃ)は、台座２０および給水管３０を洗面台に取り付ける様子につき段階を追って示した説明図。
【図４】図４（a）、(b)および(c)は、移動部材２３および突出部材２４と管取付け部材３０のネジ切り部３１ｂとの協働関係を、移動部材２３を断面表示することによって示した説明図。
【図５】図５(a)ないし(c)は、洗面台への台座２０および管取付け部材３０の取付け作業を段階を追って示した説明図。
【図６】図６（a）、(ｂ)は、洗面台に台座２０および管取付け部材３０が取り付けられた後で、鶴首１０を装着する段階での、管取付け部材３０の内部に設けられた止水弁の開放する様子を示した説明図。
【符号の説明】
１０  鶴首
１１  フランジ
１２  挿入口
２０  台座
２１  環状鍔部
２２  吊り下げ部材
２３  移動部材
２４  突出部材
２５  固定ピン穴
３０  給水管
３１ａ  フランジ部
３１ｂ  ネジ切り部
３２  止水弁操作棒
３３  弁体
Ｍ  マーク
Ｗ  レンチ
【図１】
0004498621.tif 000002
【図２】
0004498621.tif 000003
【図３】
0004498621.tif 000004
【図４】
0004498621.tif 000005
【図５】
0004498621.tif 000006
【図６】
0004498621.tif 000007